(57)【要約】【課題】住宅等建物での真空を利用した真空断熱化工法を大きく前進させるため・嵌め込み硝子パネル・外壁パネル・屋根パネル・床パネル・サッシ・ドアーなどの複層高気密断熱部材と真空制御装置とを組み合わせ高い断熱性能と遮音性能を半永久的に安定維持する液封式真空制御装置の提供。【解決手段】一台の真空ポンプ１５で、任意に設定した１〜複数の真空度を得る手段に使用する液封式真空度制御装置１０とした。  複層高気密断熱部材３の１〜複数の各気密空間部を真空度制御装置１により個々に真空度制御し高い断熱性能や遮音性能を得る手段に使用する液封を利用した液封式真空度制御装置１０としている。そして、住宅等建物の・嵌め込み硝子パネル３０・外壁パネル３１、他・屋根パネル・床パネル・サッシ・ドアーなどの複層高気密断熱部材３の１〜複数の各気密空間部を個々の設定真空度毎にチューブで連通接続させ、最少使用数の真空度制御装置１で高い断熱性能や遮音性能を得る手段に使用する液封式真空度制御装置１０とした。【選択図】図１
2007100947.tif 000002
【特許請求の範囲】
【請求項１】
真空度制御装置（１）であって、
一台の真空ポンプ（１５）で、任意に設定した１〜複数の真空度を得る手段に使用する液封式真空度制御装置（１０）。
【請求項２】
住宅等建物で使用する真空度制御装置（１）であって、
複層高気密断熱部材（３）の１〜複数の各気密空間部を真空度制御装置（１）により個々に真空度制御し高い断熱性能や遮音性能を得る手段に使用する液封を利用したことを特徴とする請求項１に記載の液封式真空度制御装置（１０）。
【請求項３】
住宅等建物で使用する真空度制御装置（１）であって、
住宅等建物の・嵌め込み硝子パネル（３０）・外壁パネル（３１）、他・屋根パネル・床パネル・サッシ・ドアーなどの複層高気密断熱部材（３）の１〜複数の各気密空間部を個々の設定真空度毎にチューブで連通接続させ、最少使用数の真空度制御装置（１）で高い断熱性能や遮音性能を得る手段に使用することを特徴とする請求項１又は２に記載の液封式真空度制御装置（１０）。
【発明の詳細な説明】
【技術分野】
【０００１】  本発明は、複層高気密断熱部材の１〜複数の各気密空間部を真空度制御装置により個々に真空度制御し高い断熱性能や遮音性能を得る手段として液封を利用した液封式真空度制御装置に関する。
【背景技術】
【０００２】  生物にとって自然災害が少ない地球環境の維持継続を考えた場合、特に、人類だけが生活の快適さを得るために暖房や冷房に膨大な石油や石炭また天然ガスの消費を続けている。
この再生不可能な貴重な地下資源である石油や石炭また天然ガスの消費をこれからも続ければ大気汚染が進み地球温暖化が加速する。このことで生物にとって致命的な風水害や砂漠化など異常気象に伴う自然災害に見舞われる可能性が格段に高くなると言われている。石油や石炭また天然ガスなどの貴重な地下資源は大切に利用すべきであり、燃料に使用するよりも生物が共栄共存し人類が豊かになるための製品を生みだすことに振り向けられるべきもので、限りある地球資源の有効利用に関し人類は基本的な指標を世界的に合意しなければならない段階にあると言ってよい。【０００３】  ところで近年、社会的ニーズの高まりは広範囲におよび地球温暖化の抑制に関してもその意識が高まってきている。
その中で住宅など建築物においては便利さや快適さの要求も強く、例えば・安全・安心・健康・癒し・省エネルギーに関する多くの工夫を取り入れた住宅建築工法の開発が進められているのが現状である。
特に、地球温暖化の抑制に関しては、適切な２４時間機械換気システムの基で高気密化と高断熱化への取り組みが盛んで地球温暖化抑制には他にさまざまな住宅建築工法と対策が講じられている。しかし、現状の高気密高断熱化住宅の多くはグラスウール、ロックウールでの断熱化、また、石油系の断熱材では難燃性発泡スチロールなどが多量に用いる被覆断熱化工法が主流で、このような被覆断熱化工法では建材を多く使用し決して地球環境に優しい住宅建築工法とは言えないのである。
そこで、真空を利用した真空断熱化工法に着目した。真空断熱の考えは昔からあるものの実用化されたものは窓ガラスなどのサッシ類の一部だけで、未だに住宅全体を真空断熱材で覆い徹底した省エネルギー住宅化までには至っていないのが現状である。
【発明の開示】
【発明が解決しようとする課題】
【０００４】  上記の事情に鑑み、住宅等建物での真空を利用した真空断熱化工法を大きく前進させるため・嵌め込み硝子パネル・外壁パネル・屋根パネル・床パネル・サッシ・ドアーなどの複層高気密断熱部材と真空制御装置とを組み合わせ高い断熱性能と遮音性能を半永久的に安定維持させる液封式真空制御装置の提供にある。
【課題を解決するための手段】
【０００５】  本発明は、上記目的を達成するために以下の技術的手段を講じた。
第１に、一台の真空ポンプで、任意に設定した１〜複数の真空度を得る手段に使用する液封式真空度制御装置とした。
第２に、複層高気密断熱部材の１〜複数の各気密空間部を真空度制御装置により個々に真空度制御し高い断熱性能や遮音性能を得る手段に使用する液封を利用した液封式真空度制御装置とした。
第３に、住宅等建物の・嵌め込み硝子パネル・外壁パネル、他・屋根パネル・床パネル・サッシ・ドアーなどの複層高気密断熱部材の１〜複数の各気密空間部を個々の設定真空度毎にチューブで連通接続させ、最少使用数の真空度制御装置で高い断熱性能や遮音性能を得る手段に使用する液封式真空度制御装置とした。
【発明の効果】
【０００６】  本発明によれば、住宅等建物の建築工法で真空を利用した真空断熱化を大きく前進させることを可能とし、・嵌め込み硝子パネル・外壁パネル・屋根パネル・床パネル・サッシ・ドアーなどの複層高気密断熱部材と液封式真空制御装置との組み合わせで高い断熱性能と遮音性能を半永久的にしかも安定維持させることができる。
液封式真空制御装置と各複層高気密断熱部材とを同じ設定真空度毎にチューブで連通接続しそのチューブの最終末端の一本一本を液封の深さの調整により真空度制御する方式なので真空度制御装置として簡単な構造の真空度制御システムとなっており具現化や実用化が容易にできる。
【発明を実施するための最良の形態】
【０００７】  以下、本発明の実施形態を図面を参照して説明する。
図１は、液封式真空制御装置の概略図、図２は、各複層高気密断熱部材と液封式真空制御装置とをチューブ接続した概略図である。【０００８】  図１の真空制御装置１は、液封をしていないチューブ２１と液封をした２本のチューブ２２とチューブ２３とで構成した液封式真空制御装置１０で、一台の真空ポンプ１５によって３つの違った真空度を得ることができる液封式真空制御装置１０となっている。
チューブ２１系は、真空ポンプ１５と直結しているので真空度が最も高い高真空度である。
チューブ２２系は、液封の深さが中段位置で中真空度となっている。
チューブ２３系は、液封の深さが一番深く低真空度となっている。【０００９】  液封方式では液の密度によって左右される次の関係がある。例えば、水銀の場合は絶対真空度は７６０ｍｍＨｇだが、水では略１０ｍに相当する。
住宅の場合、取り扱い上の安全、安心面から水を使用し、冬場の凍結を考慮しなければならない場合には不凍液水での液封式が望ましい。
液封式真空制御装置１０のパイプ高さは略１１ｍ以上とし不凍液水の液高さは絶対真空度の場合に相当する略１０ｍとなる。
従って、図示した通り液封式真空制御装置１０のパイプ上部の気相部１９の真空度は真空ポンプ１５の性能の左右されることになる。そして、液封式真空制御装置１０のパイプの液中には他の２本のチューブ２２とチューブ２３が挿入液封されている。【００１０】  このような状態で、真空ポンプ１５を稼働させると複層高気密断熱部材３の嵌め込み硝子パネル３０の・気密空間部３５は高真空度で・気密空間部３４、３６は中真空度・気密空間部３３、３７は低真空度となり真空度制御された嵌め込み硝子パネル３０として高い断熱性能や遮音性能を継続維持できるようになっている。
従って、真空度設定値により稼働する真空ポンプ１５は液封式真空制御装置１０とチューブで連通接続している各複層高気密断熱部材３の系統に漏れなどの異常がない限り真空度を保持し、真空ポンプ１５の停止状態は続く。
尚、各チューブ２１、２２、２３の液封式真空制御装置１０への固定シール方法は、液封式真空制御装置１０のパイプに３本のチューブ２１、２２、２３を挿入した後に固定シール部品９９によってそれぞれ固定シールされ外気の漏れ込みを遮断している。
液補給弁９５は、液封式真空制御装置１０のパイプの底部の位置に取り付けてあるので簡単に吸引補給が可能となっている。【００１１】  図２の実施形態で、高真空度のチューブ２１系は、複層高気密断熱部材３の嵌め込み硝子パネル３０の気密空間部３５と、また、隙間保持部材３８を有する外壁パネル３１の気密空間部３９とに連通接続されていて、液封式真空制御装置１０のパイプ最上部の気相部１９と連通しその末端は真空ポンプ１５の吸引口に接合している。
中真空度のチューブ２２系は、嵌め込み硝子パネル３０の気密空間部３４、３６に連通接続しその末端は液封式真空制御装置１０のパイプ内で液封深さ略３ｍ位置ａとなっている。
低真空度のチューブ２３系は、嵌め込み硝子パネル３０の気密空間部３３、３７に連通接続しその末端は液封式真空制御装置１０のパイプ内で液封深さ略６ｍ位置ｂとなっている。【００１２】  このように液封式真空制御装置１０のパイプ内で、液封の深さを調整することにより任意の真空度を選ぶことができる真空制御装置１となっている。
例えば、嵌め込み硝子やサッシなどはできれば隙間保持部材がない方が好ましくガラス一枚一枚の強度と設定された真空度制御のバランスを保持確保することによって、気密空間部の隙間を保持する隙間保持部材がなくても最小限の隙間を保持し、最高の断熱と遮音性能を有する違和感を感じない透明ガラス部を有する複層の嵌め込み硝子パネル３０を具現化している。【００１３】  尚、本発明の実施形態に限らず、以下のような変更が可能である。
本発明の図１、図２では、３本のチューブを使用し・高真空度・中真空度・低真空度と３つの真空度制御としているが、これを１〜複数の真空度を得る液封式真空制御装置１０としてもよいし、また、チューブで連通接続する複層高気密断熱部材の種類や数に関しても上記の実施形態に制約や制限されるものではない。
【産業上の利用の可能性】
【００１４】  本発明の液封式真空制御装置は、住宅等建物の複層高気密断熱部材の開発促進に結び付く。
そして住宅の高気密高断熱化また高い遮音性能を得ることのできる・安全・安心・健康・癒し・省エネルギー住宅は地球環境に優しい新たな住宅建築工法の開発に結び付く。
【図面の簡単な説明】
【００１５】
【図１】液封式真空制御装置の概略図。
【図２】各複層高気密断熱部材と液封式真空制御装置とをチューブ接続した概略図。
【符号の説明】
【００１６】    １  真空度制御装置
３  複層高気密断熱部材
１０  液封式真空制御装置
１５  真空ポンプ
１９  気相部
２１、２２、２３  チューブ
３０  嵌め込み硝子パネル
３１  外壁パネル
３３、３４、３５、３６、３７、３９  気密空間部
３８  隙間保持部材
９５  液補給弁
９９  固定シール部品
【図１】
2007100947.tif 000003
【図２】
2007100947.tif 000004